(57)【要約】【課題】広告を掲示可能な地域を限定できるアフィリエイトシステムを提供する。【解決手段】広告代理サーバ１２は、広告媒体主ＰＣ端末４から広告要求を受信したとき、広告媒体主ＤＢに基づいて、広告媒体主ＰＣ端末４を使用する広告媒体主の広告媒体主ＩＤに対応する広告媒体主所在情報を取得する。続いて、広告代理サーバ１２は、広告ＤＢに基づいて、取得された広告媒体主所在情報を含む掲示可能地域に対応する広告を抽出し、広告媒体主ＰＣ端末４に送信する。広告媒体主ＰＣ端末４、抽出された広告をプリンタ６に印刷させる。これにより、本アフィリエイトシステムは、広告媒体主の所在に基づいて広告の掲載可能地域を限定できる。顧客は、印刷された広告を閲覧する。広告を利用する場合、顧客端末５を用いて広告代理サーバ１２に広告の利用を要求し、広告を利用する。【選択図】図１４
2008090499.tif 000002
【特許請求の範囲】
【請求項１】
広告媒体主が使用し、印刷機器と接続された広告媒体主端末と、広告を利用する顧客が使用する顧客端末と、アフィリエイトサーバシステムとを備えたアフィリエイトシステムであって、
前記アフィリエイトサーバシステムは、
広告媒体主の識別情報と前記広告媒体主の所在とを対応づけて記憶する広告媒体主データベースと、
広告と前記広告の掲示可能地域とを対応づけて記憶する広告データベースと、
前記広告媒体主端末から広告要求を受信したとき、前記広告媒体主データベースに基づいて、前記広告媒体主端末を使用する広告媒体主の識別情報に対応する所在を特定し、前記広告データベースに基づいて、前記特定された所在を含む掲示可能地域に対応する広告を抽出する抽出手段と、
抽出された前記広告を前記広告媒体主端末を使用する広告媒体主の識別情報とともに前記印刷機器に印刷させるための印刷情報を前記広告媒体主端末に送信する印刷情報送信手段とを備え、
前記広告媒体主端末は、
前記広告要求を送信する手段と、
前記送信された印刷情報に基づいて前記広告と前記広告媒体主の識別情報とを印刷機器に印刷させる印刷指示手段とを備え、
前記顧客端末は、
前記印刷された広告の利用要求と印刷された広告媒体主の識別情報とを前記アフィリエイトサーバシステムに送信する広告利用要求手段を備え、
前記アフィリエイトサーバシステムは、
前記広告の利用要求及び広告媒体主の識別情報を受け、利用要求された広告と前記受けた広告媒体主の識別情報とを対応づけて利用実績データベースに登録する利用実績登録手段と、
前記利用実績データベースに基づいて、広告媒体主の識別情報により特定される広告媒体主が受け取る報酬額を算定する報酬額算定手段とを備えることを特徴とするアフィリエイトシステム。
【請求項２】
広告媒体主が使用し、印刷機器と接続された広告媒体主端末と、広告を利用する顧客が使用する顧客端末と、アフィリエイトサーバシステムとを備えたアフィリエイトシステムであって、
前記アフィリエイトサーバシステムは、
広告媒体主の識別情報を記憶する広告媒体主データベースと、
広告と前記広告の利用可能地域とを対応づけて記憶する広告データベースと、
前記広告媒体主端末から広告要求を受信したとき、前記広告を前記広告媒体主端末を使用する広告媒体主の識別情報とともに前記印刷機器に印刷させるための印刷情報を前記広告媒体主端末に送信する印刷情報送信手段とを備え、
前記広告媒体主端末は、
前記広告要求を送信する手段と、
前記送信された印刷情報に基づいて前記広告と前記広告媒体主の識別情報とを印刷機器に印刷させる印刷指示手段とを備え、
前記顧客端末は、
前記印刷された広告の利用要求と印刷された広告媒体主の識別情報とを前記アフィリエイトサーバシステムに送信する広告利用要求手段と、
前記顧客の所在に関する情報を前記アフィリエイトサーバシステムに送信する顧客所在情報送信手段とを備え、
前記アフィリエイトサーバシステムは、
前記顧客端末から送信された広告の利用要求及び顧客の所在に関する情報を受け、前記広告データベースに基づいて、前記利用要求された広告に対応する利用可能地域が前記顧客の所在を含むとき前記顧客に前記広告の利用を許可し、前記利用可能地域が前記顧客の所在を含まないとき、前記顧客に前記広告の利用を禁止する利用可否判断手段と、
前記利用可否判断手段が前記広告の利用を許可したとき、前記利用を許可された広告と前記顧客端末から送信された広告媒体主の識別情報とを対応づけて利用実績データベースに登録する利用実績登録手段と、
前記利用実績データベースに基づいて、広告媒体主の識別情報により特定される広告媒体主が受け取る報酬額を算定する報酬額算定手段とを備えることを特徴とするアフィリエイトシステム。
【請求項３】
広告媒体主が使用し、印刷機器に広告の印刷を指示する広告媒体主端末と、広告を利用する顧客が使用する顧客端末とに接続可能なアフィリエイトサーバシステムであって、
広告媒体主の識別情報と前記広告媒体主の所在とを対応づけて記憶する広告媒体主データベースと、
広告と前記広告の掲示可能地域とを対応づけて記憶する広告データベースと、
前記広告媒体主端末から広告要求を受信したとき、前記広告媒体主データベースに基づいて、前記広告媒体主端末を使用する広告媒体主の識別情報に対応する所在を特定し、前記広告データベースに基づいて、前記特定された所在を含む掲示可能地域に対応する広告を抽出する抽出手段と、
抽出された前記広告を前記広告媒体主端末を使用する広告媒体主の識別情報とともに前記印刷機器に印刷させるための印刷情報を前記広告媒体主端末に送信する印刷情報送信手段と、
前記印刷情報に基づいて前記印刷機器により印刷された広告の利用要求と印刷された広告媒体主の識別情報とを前記顧客端末から受け、利用要求された広告と前記受けた広告媒体主の識別情報とを対応づけて利用実績データベースに登録する利用実績登録手段と、
前記利用実績データベースに基づいて、広告媒体主の識別情報により特定される広告媒体主が受け取る報酬額を算定する報酬額算定手段とを備えることを特徴とするアフィリエイトサーバシステム。
【請求項４】
請求項３に記載のアフィリエイトサーバシステムであって、
前記広告データベースはさらに、前記広告の利用可能地域を前記広告と対応づけて記憶し、
前記アフィリエイトサーバシステムはさらに、
前記顧客端末から顧客の所在に関する情報を受け、前記広告データベースに基づいて、前記利用要求された広告に対応する利用可能地域が前記顧客の所在を含むとき前記顧客に前記広告の利用を許可し、前記利用可能地域が前記顧客の所在を含まないとき前記顧客に前記広告の利用を禁止する利用可否判断手段を備え、
前記利用実績登録手段は、前記利用を許可された広告と前記広告媒体主の識別情報とを対応づけて前記利用実績データベースに登録することを特徴とするアフィリエイトサーバシステム。
【請求項５】
広告媒体主が使用し、印刷装置に広告の印刷を指示する広告媒体主端末と、広告を利用する顧客が使用する顧客端末とに接続可能なアフィリエイトサーバシステムであって、
広告媒体主の識別情報を記憶する広告媒体主データベースと、
広告と前記広告の利用可能地域とを対応づけて記憶する広告データベースと、
前記広告媒体主端末から広告要求を受信したとき、前記広告を前記広告媒体主端末を使用する広告媒体主の識別情報とともに前記印刷機器に印刷させるための印刷情報を前記広告媒体主端末に送信する印刷情報送信手段と、
前記印刷情報に基づいて前記印刷機器により印刷された広告の利用要求と、前記印刷された広告媒体主の識別情報と、前記顧客の所在に関する情報とを前記顧客端末から受け、前記広告データベースに基づいて、前記利用要求された広告に対応する利用可能地域が前記顧客の所在を含むとき前記顧客に広告の利用を許可し、前記利用可能地域が前記顧客の所在を含まないとき前記顧客に前記広告の利用を禁止する利用可否判断手段と、
前記利用可否判断手段が前記広告の利用を許可したとき、前記利用を許可された広告と前記顧客端末から送信された広告媒体主の識別情報とを対応づけて利用実績データベースに登録する利用実績登録手段と、
前記利用実績データベースに基づいて、広告媒体主の識別情報により特定される広告媒体主が受け取る報酬額を算定する報酬額算定手段とを備えることを特徴とするアフィリエイトサーバシステム。
【請求項６】
請求項３〜５のいずれか１項に記載のアフィリエイトサーバシステムはさらに、広告を出す広告主が使用する広告主端末と接続可能であり、
前記アフィリエイトサーバシステムはさらに、
各々が異なる広告レイアウトを示す複数のテンプレートを記憶するテンプレートデータベースと、
前記複数のテンプレートの一覧を前記広告主端末に表示させるテンプレート一覧表示手段と、
前記広告主端末により選択されたテンプレートに基づいて前記広告の印刷画像を作成する広告印刷画像作成手段と、
前記作成された広告の印刷画像を前記広告データベースに登録する印刷画像登録手段とを備え、
前記印刷情報送信手段は、前記広告の印刷画像を前記印刷情報に含めることを特徴とするアフィリエイトサーバシステム。
【請求項７】
請求項３〜６のいずれか１項に記載のアフィリエイトサーバシステムであって、
前記広告データベースはさらに、前記広告の単位報酬額を前記広告に対応づけて記憶し、
前記アフィリエイトサーバシステムはさらに、
前記抽出された広告と前記抽出された広告の単位報酬額とを対応づけた広告一覧表を前記広告媒体主端末に表示させる広告一覧表示手段を備え、
前記印刷情報送信手段は、前記広告一覧表の中から前記広告媒体主端末により選択された広告を前記広告媒体主の識別情報とともに前記印刷機器に印刷させるための前記印刷情報を送信し、
前記報酬額算定手段は、前記利用実績データベースに登録された広告に対応する単位報酬額を前記広告データベースから取得し、取得された単位報酬額に基づいて前記広告媒体主が受け取る報酬額を算定することを特徴とするアフィリエイトサーバシステム。
【請求項８】
広告媒体主が使用し、印刷機器に広告の印刷を指示する広告媒体主端末と、広告を利用する顧客が使用する顧客端末とに接続可能なアフィリエイトサーバシステムによるアフィリエイト方法であって、
広告媒体主の識別情報と前記広告媒体主の所在とを対応づけて広告媒体主データベースに登録するステップと、
広告と前記広告の掲示可能地域とを対応づけて広告データベースに登録するステップと、
前記広告媒体主端末から広告要求を受信したとき、前記広告媒体主データベースに基づいて、前記広告媒体主端末を使用する広告媒体主の識別情報に対応する所在を特定し、前記広告データベースに基づいて、前記特定された所在を含む掲示可能地域に対応する広告を抽出するステップと、
抽出された前記広告を前記広告媒体主端末を使用する広告媒体主の識別情報とともに前記印刷機器に印刷させるための印刷情報を前記広告媒体主端末に送信するステップと、
前記印刷された広告の利用要求と前記印刷された広告媒体主の識別情報とを前記顧客端末から受け、利用要求された広告と前記受けた広告媒体主の識別情報とを対応づけて利用実績データベースに登録するステップと、
前記利用実績データベースに基づいて、広告媒体主の識別情報により特定される広告媒体主が受け取る報酬額を算定するステップとを備えることを特徴とするアフィリエイト方法。
【請求項９】
広告媒体主が使用し、印刷装置に広告の印刷を指示する広告媒体主端末と、広告を利用する顧客が使用する顧客端末とに接続可能なアフィリエイトサーバシステムによるアフィリエイト方法であって、
広告媒体主の識別情報を広告媒体主データベースに登録するステップと、
広告と前記広告の利用可能地域とを対応づけて広告データベースに登録するステップと、
前記広告媒体主端末から広告要求を受信したとき、前記広告を前記広告媒体主端末を使用する広告媒体主の識別情報とともに前記印刷機器に印刷させるための印刷情報を前記広告媒体主端末に送信するステップと、
前記印刷された広告の利用要求と、前記印刷された広告媒体主の識別情報と、前記顧客の所在に関する情報とを前記顧客端末から受け、前記広告データベースに基づいて、前記利用要求された広告に対応する利用可能地域が前記顧客の所在を含むとき前記顧客に広告の利用を許可し、前記利用可能地域が前記顧客の所在を含まないとき前記顧客に前記広告の利用を禁止するステップと、
前記利用可否判断手段が前記広告の利用を許可したとき、前記利用を許可された広告と前記送信された広告媒体主の識別情報とを対応づけて利用実績データベースに登録するステップと、
前記利用実績データベースに基づいて、広告媒体主の識別情報により特定される広告媒体主が受け取る報酬額を算定するステップとを備えることを特徴とするアフィリエイト方法。
【請求項１０】
請求項８又は請求項９に記載のステップをコンピュータに実行させるためのアフィリエイトサーバプログラム。
【発明の詳細な説明】
【技術分野】
【０００１】
本発明は、アフィリエイトシステム、アフィリエイトサーバシステム、アフィリエイト方法及びアフィリエイトサーバプログラムに関し、さらに詳しくは、印刷された広告を利用するアフィリエイトシステム、アフィリエイトサーバシステム、アフィリエイト方法及びアフィリエイトサーバプログラムに関する。
【背景技術】
【０００２】
最近、インターネット上での広告掲載システムとして、アフィリエイトシステムが登場している。アフィリエイトシステムでは、広告媒体主が自身のウェブページやブログ等に広告主のバナー広告を掲載する。利用者は、ウェブページ上のバナー広告を選択することにより、広告の対象商品のウェブページにアクセスでき、ウェブページ上で商品を購入する。利用者が商品を購入したとき、広告媒体主はバナー広告の広告主から対価を受け取る。以上のとおり、アフィリエイトシステムは、一般的に、すべてのプロセスがインターネット上で実行される。
【０００３】
これに対し、広告をウェブページ上に掲示せず、雑誌や折り込みチラシ等の紙媒体に印刷するアフィリエイトシステムが提案されている。特開２００２−１６３５６５号公報（特許文献１）や特開２００４−３３４４６９号公報（特許文献２）に提案されたアフィリエイトシステムでは、雑誌等にバーコード付きの広告を掲載する。ユーザはバーコードをスキャンして得られたＵＲＬを用いて、広告の具体的内容が記載されたウェブページにアクセスし、広告の対象商品を購入する。このとき、広告を掲載した雑誌等の製造元である広告媒体主を特定し、特定された広告媒体主に対して報酬額を支払う。このような仕組みにより、インターネット上ではなく、雑誌やチラシ等の印刷物に掲載された広告を利用したアフィリエイトプログラムを実現している。
【０００４】
しかしながら、これらの特許文献で提案されたアフィリエイトシステムでは、専門の印刷業者が広告を印刷することを前提としている。そのため、たとえば、町の商店街の店主が、自分で選んだ広告を手軽に印刷して自身の店舗に掲示する、といったことはできない。
【０００５】
さらに、店主が店舗に広告を掲示する場合、広告主の所在から遠く離れた地域の店舗に広告が掲示されるよりは、広告主の所在近傍（つまり、広告主の地元）の店舗に広告を掲載された方が広告主にとって好ましい。広告主の地元の店舗に広告が掲示されれば、広告主の地元の消費者が広告を見る機会が多くなるため、広告が利用される確立が高くなるからである。したがって、広告が掲示可能な地域を限定できる方が好ましい。
【０００６】
また、広告主は、広告を利用できる顧客（消費者）を限定したい場合もある。たとえば、理髪店や飲食店等の広告主がクーポンを発行する場合、遠方の顧客にクーポンを発行するよりも、地元の顧客にクーポンを発行した方が、発行されたクーポンが実際に利用される確率が高くなる。このような場合、クーポンの発行を地元の顧客に限定した方が広告主にとって好ましい。
【特許文献１】特開２００２−１６３５６５号公報
【特許文献２】特開２００４−３３４４６９号公報
【特許文献３】特開２００５−１９６２７２号公報
【特許文献４】特開２００５−１２２５６９号公報
【発明の開示】
【発明が解決しようとする課題】
【０００７】
本発明の目的は、広告を掲示可能な地域を限定できるアフィリエイトシステムを提供することである。
【０００８】
本発明の他の目的は、広告を利用可能な顧客を限定できるアフィリエイトシステムを提供することである。
【課題を解決するための手段及び発明の効果】
【０００９】
本発明によるアフィリエイトシステムは、広告媒体主が使用し、印刷機器と接続された広告媒体主端末と、広告を利用する顧客が使用する顧客端末と、アフィリエイトサーバシステムとを備える。アフィリエイトサーバシステムは、広告媒体主データベースと、広告データベースと、抽出手段と、印刷情報送信手段とを備える。広告媒体主データベースは、広告媒体主の識別情報と広告媒体主の所在とを対応づけて記憶する。広告データベースは、広告と広告の掲示可能地域とを対応づけて記憶する。抽出手段は、広告媒体主端末から広告要求を受信したとき、広告媒体主データベースに基づいて、広告媒体主端末を使用する広告媒体主の識別情報に対応する所在を特定し、広告データベースに基づいて、特定された所在を含む掲示可能地域に対応する広告を抽出する。印刷情報送信手段は、抽出された広告を広告媒体主端末を使用する広告媒体主の識別情報とともに印刷機器に印刷させるための印刷情報を広告媒体主端末に送信する。広告媒体主端末は、広告要求を送信する手段と、印刷指示手段とを備える。印刷指示手段は、送信された印刷情報に基づいて広告と広告媒体主の識別情報とを印刷機器に印刷させる。顧客端末は、広告利用要求手段を備える。広告利用要求手段は、印刷された広告の利用要求及び印刷された広告媒体主の識別情報を入力し、アフィリエイトサーバシステムに送信する。アフィリエイトサーバシステムはさらに、利用実績登録手段と、報酬額算定手段とを備える。利用実績登録手段は、広告の利用要求及び広告媒体主の識別情報を受け、利用要求された広告と受けた広告媒体主の識別情報とを対応づけて利用実績データベースに登録する。報酬額算定手段は、利用実績データベースに基づいて、広告媒体主の識別情報により特定される広告媒体主が受け取る報酬額を算定する報酬額算定手段とを備える。ここで、アフィリエイトサーバシステムを実現するために必要なハードウェア資源は単一のコンピュータに集約されていてもよいし、複数のコンピュータに分散されていてもよい。また、広告の利用要求とは、たとえば、顧客が広告に掲載された商品の購入を要求したり、顧客が広告に掲載されたクーポンの発行を要求したりすることをいう。印刷情報に基づいて印刷された広告媒体主の識別情報は、たとえばバーコードや二次元コードでコード化されてもよく、この場合、顧客端末がコードを読みとることにより、広告媒体主の識別情報が顧客端末に入力される。また、顧客の手入力により顧客端末に広告媒体主の識別情報が入力されてもよい。
【００１０】
本発明によるアフィリエイトシステムでは、広告データベースに登録された掲示可能地域が広告媒体主の所在を含む広告が抽出される。そのため、掲示可能地域を設定することにより、広告を掲示可能な地域を限定できる。
【００１１】
本発明によるアフィリエイトシステムは、広告媒体主が使用し、印刷機器と接続された広告媒体主端末と、広告を利用する顧客が使用する顧客端末と、アフィリエイトサーバシステムとを備える。アフィリエイトサーバシステムは、広告媒体主データベースと、広告データベースと、印刷情報送信手段とを備える。広告媒体主データベースは、広告媒体主の識別情報を記憶する。広告データベースは、広告と広告の利用可能地域とを対応づけて記憶する。印刷情報送信手段は、広告媒体主端末から広告要求を受信したとき、広告を広告媒体主端末を使用する広告媒体主の識別情報とともに印刷機器に印刷させるための印刷情報を広告媒体主端末に送信する。広告媒体主端末は、広告要求を送信する手段と、印刷指示手段とを備える。印刷指示手段は、送信された印刷情報に基づいて広告と広告媒体主の識別情報とを印刷機器に印刷させる。顧客端末は、広告利用要求手段と、顧客所在情報送信手段とを備える。広告利用要求手段は、印刷された広告の利用要求及び印刷された広告媒体主の識別情報を入力し、アフィリエイトサーバシステムに送信する。顧客所在情報送信手段は、顧客の所在に関する情報をアフィリエイトサーバシステムに送信する。アフィリエイトサーバシステムは、利用可否判断手段と、利用実績登録手段と、報酬額算定手段とを備える。利用可否判断手段は、顧客端末から送信された広告の利用要求及び顧客の所在に関する情報を受け、広告データベースに基づいて、利用要求された広告に対応する利用可能地域が顧客の所在を含むとき顧客に広告の利用を許可し、利用可能地域が顧客の所在を含まないとき、顧客に広告の利用を禁止する。利用実績登録手段は、利用可否判断手段が広告の利用を許可したとき、利用を許可された広告と送信された広告媒体主の識別情報とを対応づけて利用実績データベースに登録する。報酬額算定手段は、利用実績データベースに基づいて、広告媒体主の識別情報により特定される広告媒体主が受け取る報酬額を算定する。
【００１２】
本発明によるアフィリエイトサイトシステムでは、広告データベースに登録された広告の利用可能地域が顧客の所在を含む場合、顧客はその広告を利用でき、利用可能地域が顧客の所在を含まない場合、顧客はその広告を利用できない。そのため、利用可能地域を設定することにより、広告を利用可能な顧客を限定できる。
【００１３】
本発明によるアフィリエイトサーバシステムは、広告媒体主が使用し、印刷機器に広告の印刷を指示する広告媒体主端末と、広告を利用する顧客が使用する顧客端末とに接続可能である。アフィリエイトサーバシステムは、広告媒体主データベースと、広告データベースと、抽出手段と、印刷情報送信手段と、利用実績登録手段と、報酬額算定手段とを備える。広告媒体主データベースは、広告媒体主の識別情報と広告媒体主の所在とを対応づけて記憶する。広告データベースは、広告と広告の掲示可能地域とを対応づけて記憶する。抽出手段は、広告媒体主端末から広告要求を受信したとき、広告媒体主データベースに基づいて、広告媒体主端末を使用する広告媒体主の識別情報に対応する所在を特定し、広告データベースに基づいて、特定された所在を含む掲示可能地域に対応する広告を抽出する。印刷情報送信手段は、抽出された広告を広告媒体主端末を使用する広告媒体主の識別情報とともに印刷機器に印刷させるための印刷情報を広告媒体主端末に送信する。利用実績登録手段は、印刷情報に基づいて印刷機器により印刷された広告の利用要求及び印刷された広告媒体主の識別情報を顧客端末から受け、利用要求された広告と受けた広告媒体主の識別情報とを対応づけて利用実績データベースに登録する。報酬額算定手段は、利用実績データベースに基づいて、広告媒体主の識別情報により特定される広告媒体主が受け取る報酬額を算定する。
【００１４】
本発明によるアフィリエイトサーバシステムは、広告データベースに登録された掲示可能地域が広告媒体主の所在を含む広告を抽出する。つまり、掲示可能地域を設定することにより、広告を掲示可能な地域を限定できる。
【００１５】
好ましくは、広告データベースはさらに、広告の利用可能地域を広告と対応づけて記憶する。アフィリエイトサーバシステムはさらに、利用可否判断手段を備える。利用可否判断手段は、顧客端末から顧客の所在に関する情報を受け、広告データベースに基づいて、利用要求された広告に対応する利用可能地域が顧客の所在を含むとき顧客に広告の利用を許可し、利用可能地域が顧客の所在を含まないとき顧客に広告の利用を禁止する。利用実績登録手段は、利用を許可された広告と広告媒体主の識別情報とを対応づけて登録する。
【００１６】
この場合、広告データベースに登録された広告の利用可能地域が顧客の所在を含むとき、顧客はその広告を利用でき、利用可能地域が顧客の所在を含まないとき、顧客はその広告を利用できない。つまり、利用可能地域を設定することにより、広告を利用可能な顧客を限定できる。
【００１７】
本発明によるアフィリエイトサーバシステムは、広告媒体主が使用し、印刷装置に広告の印刷を指示する広告媒体主端末と、広告を利用する顧客が使用する顧客端末とに接続可能である。アフィリエイトサーバシステムは、広告媒体主データベースと、広告データベースと、印刷情報送信手段と、利用可否判断手段と、利用実績登録手段と、報酬額算定手段とを備える。広告媒体主データベースは、広告媒体主の識別情報を記憶する。広告データベースは、広告と広告の利用可能地域とを対応づけて記憶する。印刷情報送信手段は、広告媒体主端末から広告要求を受信したとき、広告を広告媒体主端末を使用する広告媒体主の識別情報とともに印刷機器に印刷させるための印刷情報を広告媒体主端末に送信する。利用可否判断手段は、印刷情報に基づいて印刷機器により印刷された印刷された広告の利用要求と、印刷された広告媒体主の識別情報と、顧客の所在に関する情報とを顧客端末から受け、広告データベースに基づいて、利用要求された広告に対応する利用可能地域が顧客の所在を含むとき顧客に広告の利用を許可し、利用可能地域が顧客の所在を含まないとき、顧客に広告の利用を禁止する。利用実績登録手段は、利用可否判断手段が広告の利用を許可したとき、利用を許可された広告と送信された広告媒体主の識別情報とを対応づけて利用実績データベースに登録する。報酬額算定手段は、利用実績データベースに基づいて、広告媒体主の識別情報により特定される広告媒体主が受け取る報酬額を算定する。
【００１８】
本発明によるアフィリエイトサーバシステムでは、広告データベースに登録された広告の利用可能地域が顧客の所在を含むとき、顧客はその広告を利用でき、利用可能地域が顧客の所在を含まないとき、顧客はその広告を利用できない。つまり、利用可能地域を設定することにより、広告を利用可能な顧客を限定できる。
【００１９】
好ましくは、アフィリエイトサーバシステムはさらに、広告を出す広告主が使用する広告主端末と接続可能である。アフィリエイトサーバシステムはさらに、テンプレートデータベースと、テンプレート一覧表示手段と、印刷画像データ作成手段と、印刷画像データ登録手段とを備える。テンプレートデータベースは、各々が異なる広告レイアウトを示す複数のテンプレートを記憶する。テンプレート一覧表示手段は、複数のテンプレートの一覧を広告主端末に表示させる。印刷画像作成手段は、広告主端末により選択されたテンプレートに基づいて広告の印刷画像を作成する。印刷画像登録手段は、作成された印刷画像を広告データベースに登録する。印刷情報送信手段は、広告の印刷画像を印刷情報に含める。
【００２０】
この場合、広告主は、専門業者に依頼することなく、手軽に所望の広告レイアウトの広告印刷画像を作成できる。
【００２１】
好ましくは、広告データベースはさらに、広告の単位報酬額を広告に対応づけて記憶し、アフィリエイトサーバシステムはさらに、広告一覧表示手段を備える。一覧表示手段は、抽出された広告と抽出された広告の単位報酬額とを対応づけた広告一覧表を広告媒体主端末に表示させる。印刷情報送信手段は、一覧表の中から広告媒体主端末により選択された広告の印刷情報を広告媒体主端末に送信する。報酬額算定手段は、利用実績データベースに登録された広告に対応する単位報酬額を広告データベースから取得し、取得された単位報酬額に基づいて広告媒体主が受け取る報酬額を算定する。
【００２２】
この場合、広告媒体主は単位報酬額に基づいて所望の広告を選択できる。広告主は、自身の広告を広告媒体主に選択してもらうために単位報酬額を適宜設定できる。
【００２３】
本発明によるアフィリエイト方法は、上述のアフィリエイトサーバシステムの動作方法であり、本発明によるアフィリエイトプログラムは、コンピュータにアフィリエイトサーバシステムの動作を実行させるプログラムである。
【発明を実施するための最良の形態】
【００２４】
以下、図面を参照し、本発明の実施の形態を詳しく説明する。図中同一又は相当部分には同一符号を付してその説明は繰り返さない。
【００２５】
［全体構成］
図１を参照して、アフィリエイトシステム１は、アフィリエイトサーバシステム１０と、広告主ＰＣ（Personal Computer）端末３と、広告媒体主ＰＣ端末４と、顧客端末５と、プリンタ６とを備える。アフィリエイトサーバシステム１０は、インターネット２を介して、広告主ＰＣ端末３と、広告媒体主ＰＣ端末４と、顧客端末５とに接続可能である。
【００２６】
広告主ＰＣ端末３は、広告主が使用する端末である。広告主は、広告主ＰＣ端末３を用いて、広告を作成し、作成された広告をアフィリエイトサーバシステム１０に登録する。広告媒体主ＰＣ端末４は、広告媒体主が使用する端末である。広告媒体主は、たとえば、飲食店や小売店といった店舗を経営する店主であり、広告主の広告を紙媒体等に印刷し、自身の店舗等に印刷された広告を掲示する。広告媒体主ＰＣ端末４は広告を印刷するためのプリンタ６が接続される。
【００２７】
顧客端末５は広告を利用する顧客が使用する端末である。顧客端末５は、パーソナルコンピュータでもよいし、携帯電話機やＰＤＡ（Personal Digital Assistants）等の携帯端末でもよい。
【００２８】
［アフィリエイトサーバシステム］
アフィリエイトサーバシステム１０は、種々のデータベースを備えたデータベース（以下、データベースをＤＢという）サーバ群１１と、アフィリエイトシステム全体を管理する広告代理サーバ１２とを備える。アフィリエイトサーバシステム１０は、たとえば、広告代理業者により運営される。
【００２９】
ＤＢサーバ群１１は、広告主ＤＢサーバ２１と、広告ＤＢサーバ２２と、広告媒体主ＤＢサーバ２３と、利用実績ＤＢサーバ２４と、広告代理対価ＤＢサーバ２５と、テンプレートＤＢサーバ２６とを備える。以下、各ＤＢサーバ２１〜２６について説明する。
【００３０】
広告主ＤＢサーバ２１は、広告主ＤＢを備える。広告主ＤＢには、アフィリエイトシステム１を利用する広告主に関する情報（以下、広告主情報ともいう）が登録される。図２を参照して、広告主ＤＢは、広告主を特定するための広告主ＩＤが登録されるフィールドと、広告主がアフィリエイトシステムにログインするためのパスワードが登録されるフィールドとを有する。広告主ＤＢはさらに、広告主の連絡先（たとえばｅ−ｍａｉｌ）、広告主の氏名又は名称、広告主の所在地、その他の情報を登録するためのフィールドを有する。広告主ＤＢの一例を図３に示す。
【００３１】
広告ＤＢサーバ２２は、広告ＤＢを備える。図４に広告ＤＢのデータ構造を示し、図５に広告ＤＢの一例を示す。広告ＤＢには、広告主が依頼した広告の内容（フィールド２２３〜２２６）と、その広告の掲示可能地域（フィールド２２８）と、その広告の利用可能地域（フィールド２２９）と、顧客がその広告を利用した場合に広告媒体主が受ける単位報酬額（フィールド２２７）とが登録される。
【００３２】
図４及び図５を参照して、フィールド２２１には、広告を特定するための広告ＩＤが登録され、フィールド２２２には、広告を依頼した広告主の広告主ＩＤが登録される。フィールド２２３には、広告のタイプ情報（クーポン広告又はショッピング広告）が登録される。ここで、クーポン広告とは、サービスに対する広告であり、クーポン広告の広告主は主として飲食店や理髪店等のサービス業者である。たとえば、「カット料金半額」や「ドリンク半額」等がクーポン広告に該当する。顧客がクーポン広告の利用を要求した場合、顧客に対してクーポンが発行される。ショッピング広告とは、商品に対する広告である。顧客がショッピング広告を利用した場合、顧客はショッピング広告の対象となっている商品を購入できる。クーポン広告の場合、フィールド２２３には「coupon」が登録され、ショッピング広告の場合、「shopping」が登録される。
【００３３】
フィールド２２４には、広告を印刷する場合の印刷画像に関する情報（広告印刷画像情報）が登録される。フィールド２２５には、顧客が広告の利用を要求した場合に顧客端末５のディスプレイに表示される広告画像に関する情報（顧客端末表示用情報）が登録される。フィールド２２６には、広告がショッピング広告（フィールド２２３が「shopping」）の場合の対象商品の商品単価が登録される。
【００３４】
フィールド２２７には、顧客が広告を利用したときに広告主が広告媒体主に支払う報酬額（単位報酬額）が登録される。フィールド２２８には、当該広告を掲示できる地域（掲示可能地域）が登録される。たとえば、図５の広告ＩＤ＝ａｄ４及びａｄ５の広告を掲示可能な地域は「兵庫県芦屋市」である。また、広告ＩＤ＝ａｄ２の広告を掲示可能な地域は「ａｌｌ」、つまり、全国である。フィールド２２９には、広告の利用可能地域が登録される。
【００３５】
本アフィリエイトシステム１においては、フィールド２２８に登録された掲示可能地域内に所在を有する広告媒体主しか当該広告を掲示できず、フィールド２２９に登録された利用可能地域に所在を有する顧客しか当該広告を利用できない。ここで、広告媒体主の所在とは、たとえば、広告媒体主が経営する店舗の所在地である。また、顧客の所在とは、たとえば、顧客の住所、居所及び顧客の勤務先又は通学先の住所、居所である。
【００３６】
広告媒体主ＤＢサーバ２３は、広告媒体主ＤＢを有する。広告媒体主ＤＢには、広告媒体主に関する情報（以下、広告媒体主情報ともいう）が登録される。図６に広告媒体主ＤＢのデータ構造を示し、図７に広告媒体主ＤＢの一例を示す。図６及び図７を参照して、広告媒体主ＤＢは、広告媒体主を特定するための広告媒体主ＩＤ（admedia1，admedia2等）を登録するためのフィールド２３１と、広告媒体主の所在（広告媒体主所在情報：兵庫県芦屋市、兵庫県西宮市等）を登録するためのフィールド２３２とを有する。広告媒体主ＤＢはまた、システムにログインするためのパスワード、広告媒体主の氏名又は名称、ｅ−ｍａｉｌアドレス、その他情報等を登録するためのフィールドを有する。
【００３７】
利用実績ＤＢサーバ２４は、利用実績ＤＢを有する。利用実績ＤＢには、顧客に利用された広告と、その広告を掲示した広告媒体主と、その広告を利用した顧客に関する情報とが登録される（以下、これらの情報を利用実績情報ともいう）。図８に利用実績ＤＢのデータ構造を示し、図９に利用実績ＤＢの一例を示す。図８を参照して、利用実績ＤＢには、顧客を特定するための顧客ＩＤ（customer1，customer2等）が登録されるフィールド２４１と、顧客が利用した広告の広告ＩＤ（ad1，ad2等）が登録されるフィールド２４２と、フィールド２４２に登録された広告ＩＤの広告を掲示した広告媒体主の広告媒体主ＩＤ（admedia1，admedia2等）が登録されるフィールド２４３と、フィールド２４２内の広告ＩＤがショッピング広告である場合に顧客が購入した商品数が登録されるフィールド２４４とを有する。
【００３８】
利用実績ＤＢはさらに、顧客の所在に関する情報（以下、顧客所在情報という）が登録されるフィールド２４５を有する。具体的には、フィールド２４５には、顧客の自宅の住所又は居所と勤務先の住所とが登録される。利用実績ＤＢはまた、顧客名、ｅ−ｍａｉｌアドレス、その他の情報が登録されるフィールドを有する。
【００３９】
広告代理対価ＤＢサーバ２５は、広告代理対価ＤＢを備える。図１０及び図１１に示すように、広告代理対価ＤＢには、広告主が広告代理業者に支払う報酬率（％）が登録される。
【００４０】
テンプレートＤＢサーバ２６は、テンプレートＤＢを備える。テンプレートＤＢには、印刷物に印刷される広告（広告印刷画像）を広告主が作成するのを援助するための複数のテンプレートが登録される。各テンプレートは、たとえば図１２に示すように、予め決められた広告レイアウトを有する。広告主は複数のテンプレートの中から所望のテンプレートを選択し、図１２中のブランクボックスに文字や数字を入力して広告印刷画像を完成させる。完成された広告レイアウトの一例を図１３に示す。完成された広告印刷画像に関する情報（広告印刷画像情報）は、広告ＤＢ内のフィールド２２４に格納される。広告印刷画像情報は、たとえば、選択されたテンプレートのＵＲＩ（Uniform Resource Identifier）と、テンプレート内のブランクボックス内に入力された情報とを含む。
【００４１】
広告代理サーバ１２は、図示しないＣＰＵ、メモリ、ハードディスクドライブ、通信部等を備え、ハードディスクドライブにはアフィリエイトサーバプログラムを格納する。アフィリエイトサーバプログラムを実行することにより、広告代理サーバ１２は、ＤＢサーバ群１１との間で情報の授受を行い、アフィリエイトシステム全体を制御する。
【００４２】
図１に示したアフィリエイトサーバシステム１０では、各データベースごとにサーバ２１〜２６を設けたが、全てのデータベースを備えた１つのＤＢサーバを設けても良いし、複数のデータベースを備えたＤＢサーバを複数設けてもよい。また、広告代理サーバ１２が１又は複数のデータベースを備えても良い。要するに、アフィリエイトサーバシステム１０を実現するために必要なハードウェア資源は単一のコンピュータに集約されていてもよいし、複数のコンピュータに分散されていてもよい。
【００４３】
［全体動作］
上述の構成を有するアフィリエイトシステム１の動作の概略について説明する。図１４を参照して、広告主は、広告主ＰＣ端末３を用いて、広告主情報を広告主ＤＢサーバ２１に登録し、広告媒体主は広告媒体主ＰＣ端末４を用いて、広告媒体主情報を広告媒体主ＤＢサーバ２３に登録する。（広告主情報及び広告媒体主情報登録処理：図中（１））。このとき、広告媒体主情報は広告媒体主所在情報を含む。
【００４４】
次に、広告主は広告に関する情報を広告ＤＢサーバ２２に登録する（広告情報登録処理：図中（２））。このとき、広告主は複数のテンプレートから所望のテンプレートを選択して広告印刷画像を作成し、登録する。これにより、専門の印刷業者等を介することなく、広告主自身が手軽に広告デザインを決定できる。さらに、広告主は、広告の掲示可能地域と利用可能地域とを広告ＤＢに登録する。
【００４５】
広告媒体主は、たとえば自身の店舗に広告を掲示するために、掲示可能な広告の一覧を要求する。このとき、広告代理サーバ１２は、広告媒体主が掲示可能な広告を抽出し、その一覧を広告媒体主ＰＣ端末４に送信する（掲示可能広告抽出処理：図中（３））。
【００４６】
このとき、広告代理サーバ１２は広告媒体主ＤＢを参照し、広告を要求した広告媒体主の広告媒体主ＩＤに対応する広告媒体主所在情報を特定する。たとえば、広告媒体主ＩＤ＝admedia2である場合、広告媒体主所在情報は「兵庫県西宮市」となる。
【００４７】
続いて、広告代理サーバ１２は、広告ＤＢを参照し、掲示可能地域情報が広告媒体主所在情報を含む広告を抽出する。図１４では、広告ＩＤ＝ａｄ１及びａｄ２の広告が抽出される。要するに、広告主は、広告ＤＢに掲示可能地域情報を登録することにより、広告を掲示可能な地域を限定することができる。
【００４８】
広告媒体主ＰＣ端末４は、広告の一覧を受け、所望の広告を印刷する（広告印刷処理：図中（４））。これにより、紙媒体に広告が印刷される。このとき、広告とともに、広告ＩＤ及びその広告を印刷する広告媒体主の広告媒体主ＩＤも印刷される。より具体的には、広告ＩＤ及び広告媒体主ＩＤを特定可能なＱＲコード（登録商標）及びＵＲＬが印刷される。広告媒体主は、印刷された広告をたとえば自身の店舗に掲示する。
【００４９】
広告が掲示された店舗を訪れた顧客は、掲示された広告を閲覧する。顧客が興味のある広告を見つけたとき、顧客は、掲示された広告のＱＲコードを顧客端末５で読み取り、又は掲示された広告とともに印刷されているＵＲＬを顧客端末５に入力し、広告代理サーバ１２に広告の利用を要求する。具体的には、顧客端末５はＱＲコード又はＵＲＬにより特定された広告ＩＤ及び広告媒体主ＩＤを広告代理サーバ１２に送信する。さらに、顧客端末５は、顧客の操作に応じて、顧客の自宅の住所又は勤務先の住所等の顧客所在情報を広告代理サーバ１２に送信する。
【００５０】
広告代理サーバ１２は、送信された広告ＩＤ、及び顧客所在情報に基づいて、顧客が広告を利用できるか否かを判断する（広告利用可否判断処理：図中（６））。具体的には、広告ＤＢを参照して、利用を要求された広告の広告ＩＤに対応する利用可能地域情報を取得する。広告代理サーバ１２は、顧客端末５から送信された顧客所在情報が、取得された利用可能地域情報に含まれる場合、顧客に広告の利用を許可する。顧客は、広告を利用可能と判断されたとき、広告の利用を許可され、クーポン広告の発行を受けたり、広告の商品を購入したりできる。広告の利用が許可された場合、顧客端末５から送信された情報（広告ＩＤ，広告媒体主ＩＤ及び顧客所在情報）は、利用実績情報として利用実績ＤＢサーバ２４に登録される。要するに、顧客の所在に基づいて、広告主が広告を利用できる顧客を限定できる。たとえば、広告主が自身の店舗の来店客が利用可能なクーポン広告を出す場合、顧客の自宅や勤務先が広告主の店舗の近所ではなく、遠方であれば、クーポンを発行しても利用される可能性は低い。このような場合、広告主はクーポンの利用可能地域を自身の店舗近辺に限定することで、クーポン利用率を高めることができる。
【００５１】
なお、広告代理サーバ１２は、定期的（たとえば１ヶ月ごと）に広告媒体主及び広告代理業者が広告主から受ける報酬額を算定する（報酬額算定処理：図中（７））。
【００５２】
以下、これらの動作の詳細を説明する。
【００５３】
［広告主情報及び広告媒体主情報登録処理］
上述のとおり、アフィリエイトシステム１を利用する広告主及び広告媒体主は、広告主情報及び広告媒体主情報をＤＢサーバ群１１に登録する（図１４中（１））。これらの登録処理について説明する。以下、広告主情報を登録する場合の登録処理について説明するが、広告媒体主が広告媒体主ＰＣ端末４を用いて広告媒体主情報を登録する処理も同様である。
【００５４】
図１５を参照して、広告主の操作に応じて、広告主ＰＣ端末３は、広告主情報の登録要求を送信する（Ｓ１０１）。広告代理サーバ１２は登録要求を受けたとき、広告主情報の入力を補助するための登録画面を広告主ＰＣ端末３に送信する（Ｓ２０１）。
【００５５】
広告主ＰＣ端末３は送信された登録画面を表示する（Ｓ１０２）。これにより、広告主は、表示された登録画面の指示にしたがって、パスワードや自身の氏名、連絡先等の広告主情報を入力する。広告主ＰＣ端末３は、広告主の操作に応じて、入力された広告主情報を広告代理サーバ１２に送信する（Ｓ１０３）。
【００５６】
広告代理サーバ１２は、受信した広告主情報を表示した確認画面を作成し、作成された確認画面を広告主ＰＣ端末３に送信する（Ｓ２０２）。このとき、広告代理サーバ１２は、広告主情報に広告主ＩＤを含める。広告主ＰＣ端末３は、送信された確認画面をディスプレイに表示する（Ｓ１０４）。広告主は、表示された確認画面を参照し、情報に誤りがないか確認する。誤りがない場合、図示しない確認画面内の確認完了ボタンを選択する。確認完了ボタンが選択されたとき、広告主ＰＣ端末３は、確認通知を広告代理サーバ１２に送信する（Ｓ１０５）。
【００５７】
広告代理サーバ１２は、確認通知を受信したとき、メモリ内に格納された広告主情報を読み出し、広告主ＤＢサーバ２１に送信する（Ｓ２０３）。広告主ＤＢサーバ２１は、広告主情報を広告主ＤＢに登録し、登録後に登録完了通知を広告代理サーバ１２に送信する（Ｓ３０１）。
【００５８】
広告代理サーバ１２は、広告主ＤＢサーバ２１からの登録完了通知を受け、広告主ＰＣ端末３に登録完了通知を送信する（Ｓ２０４）。広告主ＰＣ端末３は、送信された登録完了通知をディスプレイに表示する（Ｓ１０６）。広告主はディスプレイを見て、広告主情報の登録が完了したことを確認できる。
【００５９】
上述のとおり、広告媒体主情報も同様の処理で登録される。広告媒体主情報は、広告媒体主の操作に応じて広告媒体主ＰＣ端末４から広告代理サーバ１２に送信され、最終的には広告媒体主ＤＢサーバ２３に登録される。
【００６０】
［広告情報登録処理］
広告主情報を登録した広告主は、自身の商品又はサービスに関する広告を登録する（広告情報登録処理：図１４中（２））。以下、広告情報登録処理について説明する。
【００６１】
図１６を参照して、広告主ＰＣ端末３は、広告主の操作に応じて、広告代理サーバ１２にアクセスする（Ｓ１１０）。このとき、広告主ＰＣ端末３は、広告主ＩＤ及びパスワードを広告代理サーバ１２に送信する。
【００６２】
広告代理サーバ１２は、アクセスを希望する広告主の広告主情報が既に登録されているか否かを判断する（Ｓ２１０）。具体的には、広告代理サーバ１２は、広告主ＤＢサーバ２１に問い合わせて、送信された広告主ＩＤ及びパスワードを含む広告主情報が広告主ＤＢに既に登録されているか否かを確認する。登録されていない場合（Ｓ２１０でＮＯ）、アクセスを拒否し（Ｓ２１１）、たとえば、広告主情報の登録を促す通知を広告主ＰＣ端末３に送信する。一方、ステップＳ２１０において広告主情報が既に登録されていると判断したとき（Ｓ２１０でＹＥＳ）、広告代理サーバ１２はアクセスを許可し（Ｓ２１２）、たとえば広告情報の登録を促す通知を広告主ＰＣ端末３に送信する。
【００６３】
アクセスを許可された後、広告主ＰＣ端末３は、広告主の操作に応じて、広告の登録要求を送信する（Ｓ１１１）。広告代理サーバ１２は、登録要求を受けたとき、テンプレートＤＢサーバ２６にテンプレートの一覧を要求する（Ｓ２１３）。テンプレートＤＢサーバ２６は、要求に応じてテンプレート一覧を送信する（Ｓ３１０）。
【００６４】
広告代理サーバ１２は、テンプレート一覧を受信した後、テンプレート一覧画面を作成し、作成したテンプレート一覧画面を広告主ＰＣ端末３に送信して表示させる（Ｓ２１４）。
【００６５】
広告主ＰＣ端末３は受信したテンプレート一覧画面をディスプレイに表示する。テンプレート一覧画面には、たとえば、各テンプレートで作成される広告のサムネイルが列挙され、広告主はサムネイルを参照して所望の広告レイアウトのテンプレートを選択する。なお、広告主ＰＣ端末３は、一覧画面を受信したとき、一覧に列挙されたテンプレートに対応するテンプレートＩＤも取得する。
【００６６】
広告主の選択に応じて、広告主ＰＣ端末３はテンプレートを選択し、選択されたテンプレートのテンプレートＩＤを含むテンプレート要求を広告代理サーバ１２に送信する（Ｓ１１２）。広告代理サーバ１２は、テンプレート要求を受け、選択されたテンプレートＩＤを含むテンプレート要求をテンプレートＤＢサーバ２６に要求する（Ｓ２１５）。テンプレートＤＢサーバ２６は、テンプレート要求内のテンプレートＩＤに対応するテンプレートを広告代理サーバ１２に送信する（Ｓ３１１）。
【００６７】
広告代理サーバ１２は、取得したテンプレートデータに基づいてテンプレート画面を作成し、広告主ＰＣ端末３に送信する（Ｓ２１６）。広告主ＰＣ端末３は、取得したテンプレート画面（たとえば図１２に示す画像）をディスプレイに表示する（Ｓ１１３）。上述のとおり、テンプレート画面には、広告レイアウトが表示され、情報の入力が必要な箇所にブランクボックスが形成されている。そのため、広告主はブランクボックスに必要な情報を入力すれば、所望のデザインの広告を容易に作成できる。
【００６８】
広告主の操作に応じて、広告主ＰＣ端末３は必要な情報をテンプレート画面に入力し、入力された情報を広告代理サーバ１２に送信する（Ｓ１１４）。広告代理サーバ１２は、広告主ＰＣ端末から情報を受け、選択されたテンプレート及び送信された情報に基づいて広告印刷画像情報を作成し、広告印刷画像情報をステップＳ２１０で確認した広告主ＩＤとともにメモリに格納する（Ｓ２１７）。続いて、広告代理サーバ１２は、掲示可能地域、利用可能地域及び単位報酬額を設定するための画面を送信する（Ｓ２１８）。広告主ＰＣ端末３は、設定画面を表示したのち、広告主の操作に応じて入力された掲示可能地域情報、利用可能地域情報、及び、単位報酬額情報を広告代理サーバ１２に送信する（Ｓ１１５）。
【００６９】
広告代理サーバ１２は、送信された情報を受け、ステップＳ２１７でメモリに格納された広告印刷画像情報及び広告主ＩＤとともに広告ＤＢサーバ２２に送信する（Ｓ２１９）。広告ＤＢサーバは送信された情報を広告ＤＢに登録し（Ｓ４１０）、登録完了通知を送信する（Ｓ４１１）。広告代理サーバ１２は送信された登録完了通知を広告主ＰＣ端末３に中継する（Ｓ２２０）。
【００７０】
以上より、アフィリエイトシステム１では、複数種類の広告デザインからなる複数のテンプレートから、所望のテンプレートを選択すれば、広告主は広告レイアウトを自身で決めることができる。これにより、従来のように広告デザインを決定するために、専門の印刷業者等やデザイナー等を利用する必要はなくなり、広告主が広告レイアウトを手軽に決定できる。また、広告主は、広告の登録とともに、広告の掲示可能地域、利用可能地域及び単位報酬額を登録する。
【００７１】
［掲示可能広告抽出処理］
アフィリエイトシステム１では、広告媒体主の広告要求に応じて、広告ＤＢに登録された複数の広告のうち、その広告媒体主が掲示可能な広告を抽出する。このとき、広告媒体主が掲示可能な広告は、広告媒体主の所在に応じて限定される。以下、掲示可能抽出処理について説明する。
【００７２】
図１７を参照して、広告媒体主の操作に応じて、広告媒体主ＰＣ端末４は、広告代理サーバ１２にアクセスする（Ｓ５２０）。このとき、広告媒体主ＰＣ端末４は、広告媒体主ＩＤ及びパスワードを広告代理サーバ１２に送信する。
【００７３】
広告代理サーバ１２は、アクセスした広告媒体主ＰＣ端末４を利用する広告媒体主の広告媒体主情報が登録済みか否かを確認する（Ｓ２２０）。具体的には、広告代理サーバ１２は、広告媒体主ＤＢサーバ２３内の広告媒体主ＤＢに、送信された広告媒体主ＩＤ及びパスワードが登録されているか否かを確認する。未登録の場合、広告代理サーバ１２は、アクセスを拒否する（Ｓ２２１）。登録済みの場合、広告代理サーバ１２はアクセスを許可する（Ｓ２２２）。これにより、広告代理サーバ１２は、アクセスした広告媒体主ＰＣ端末４を利用する広告媒体主の広告媒体主ＩＤを特定できる。広告代理サーバ１２は、特定された広告媒体主ＩＤをメモリ内に格納する。
【００７４】
アクセス許可を受けた後、広告媒体主ＰＣ端末４は、広告媒体主の操作に応じて広告要求を送信する（Ｓ５２１）。広告要求を受けた広告代理サーバ１２は、広告媒体主が掲示可能な広告の一覧を作成する（Ｓ２２３〜２２６）。広告代理サーバ１２はまず、ステップＳ２２２でメモリに格納された広告媒体主ＩＤに対応する広告媒体主所在情報を広告媒体主ＤＢサーバ２３から取得する（Ｓ２２３，Ｓ２２４）。具体的には、広告代理サーバ１２は、広告媒体主ＩＤを含む広告媒体主所在要求を広告媒体主ＤＢサーバ２３に送信する（Ｓ２２３）。広告媒体主ＤＢサーバ２３は、要求内の広告媒体主ＩＤに対応する広告媒体主所在情報を検索し、検索された広告媒体主所在情報を送信する（Ｓ６２０）。たとえば、要求内の媒体主ＩＤが「admedia1」の場合、媒体主ＤＢサーバ２３は、「admedia1」に対応する広告媒体主所在情報「兵庫県芦屋市」を広告代理サーバ１２に送信する。広告代理サーバ１２は、広告媒体主所在情報を取得し、メモリに格納する（Ｓ２２４）。
【００７５】
続いて、広告代理サーバ１２は、掲示可能な広告を抽出する（Ｓ２２５，Ｓ２２６）。広告代理サーバ１２はまず、広告一覧要求を広告ＤＢサーバ２２に送信する。広告一覧要求は、ステップＳ２２４でメモリに格納された広告媒体主所在情報（兵庫県芦屋市）を含む。広告ＤＢサーバ２２は、広告一覧要求を受けた後、掲示可能な広告を抽出する（Ｓ４２０）。このとき、広告ＤＢサーバ２２は、広告ＤＢに登録された広告のうち、掲示可能地域に広告一覧要求内の広告媒体主所在情報（兵庫県芦屋市）を含むものを抽出する。図５の場合、広告ａｄ２，ａｄ４，ａｄ５が抽出される。広告ＤＢサーバ２２は、抽出された広告（ａｄ２，ａｄ４，ａｄ５）の一覧を広告代理サーバ１２に送信する（Ｓ４２１）。具体的には、広告ＤＢ内の情報のうち、広告ＩＤと、広告印刷画像情報と、単位報酬額との一覧を送信する。
【００７６】
広告代理サーバ１２は、広告ＤＢサーバ２２から送信された広告の一覧に基づいて広告の具体的内容と、その広告の単位報酬額とが列挙された広告一覧画面を作成し、作成された広告一覧画面を広告媒体主ＰＣ端末４に送信する（Ｓ２２６）。なお、広告一覧画面とともに、各広告の広告ＩＤも送信される。
【００７７】
広告媒体主ＰＣ端末４は送信された広告一覧画面をディスプレイに表示する（Ｓ５２２）。広告一覧画面の一例を図１８に示す。図１８に示すように、広告一覧には、広告情報のうち、広告印刷画像情報の一部（ワインメーカ１，定番ワイン…等）と単位報酬額（２００円）とが列挙される。
【００７８】
広告一覧画面には、広告の内容だけでなく、単位報酬額も列挙されるため、広告媒体主は、広告の対象となる商品やサービスの内容だけでなく、単位報酬額も参照しながら掲示する広告を選択できる。たとえば、図１８に示した広告一覧画面の場合、美容チェーン１のカット料金半額のクーポン広告の単位報酬額は３００円であり、他の広告の単位報酬額よりも高い。このように、広告媒体主は、単位報酬額を参考にしながら所望の広告を選択できる。一方、広告主は、広告主は、より多くの広告媒体主に広告を掲示してもらうために、単位報酬額を適宜設定できる。
【００７９】
以上の動作により、アフィリエイトシステム１は、広告媒体主の所在に基づいて掲示可能な広告を抽出する。広告主は、広告ＤＢに掲示可能地域情報を登録することにより、広告を掲示可能な地域を限定できる。
【００８０】
［広告印刷処理］
アフィリエイトシステム１は、図１７中のステップＳ５２２で一覧表示された広告の中から、選択された所望の広告を紙媒体等に印刷する。広告媒体主は、所望の広告を自身で印刷し、印刷された広告を店舗等に手軽に掲示できる。以下、広告印刷処理について説明する。
【００８１】
図１９を参照して、広告媒体主ＰＣ端末４は、広告媒体主の選択に応じて、選択された広告の印刷画像要求を送信する（Ｓ５３０）。印刷画像要求には、選択された広告の広告ＩＤが含まれる。
【００８２】
広告代理サーバ１２は、広告媒体主ＰＣ端末４から送信された印刷画像要求を広告ＤＢサーバ２２に中継する（Ｓ２３０）。広告ＤＢサーバ２２は、印刷画像要求を受け、要求内の広告ＩＤに対応した広告印刷画像情報を広告ＤＢから抽出し、抽出された広告印刷画像情報を送信する（Ｓ４３０）。広告代理サーバ１２は、送信された広告印刷画像情報をメモリに格納する。
【００８３】
続いて、広告代理サーバ１２は、広告ＩＤ及び広告媒体主ＩＤを含むＵＲＬを作成する（Ｓ２３１）。広告ＩＤはステップＳ５３０で送信されたもの（つまり、選択された広告の広告ＩＤ）であり、広告媒体主ＩＤは、図１７中のステップＳ２２２でメモリに格納されたものである。ＵＲＬを作成後、広告代理サーバ１２は、作成されたＵＲＬに基づいてＱＲコードを作成する（Ｓ２３２）。作成されたＵＲＬ及びＱＲコードは、広告と共に印刷される。
【００８４】
広告代理サーバ１２は、メモリに格納された広告印刷画像情報に、ステップＳ２３１及びＳ２３２で作成されたＵＲＬ及びＱＲコードを加えた印刷画像データを作成し、作成された印刷画像データに関する印刷情報を広告媒体主ＰＣ端末４に送信する（Ｓ２３３）。
【００８５】
広告媒体主ＰＣ端末４は、送信された印刷情報に基づいて、印刷画像をディスプレイに表示する。図２０はディスプレイに表示された印刷画像の一例である。媒体主の操作に応じて、媒体主ＰＣ端末４は印刷指示を出力し（Ｓ５３２）、プリンタ６は、印刷指示を受けて広告を紙媒体に印刷する（Ｓ７３０）。以上の動作により、紙媒体に図２０に示した広告が印刷される。図２０に示すとおり、広告ＩＤ及び広告媒体主ＩＤがＵＲＬ及びＱＲコードとして広告とともに印刷される。
【００８６】
以上の動作により、広告媒体主は所望の広告が印刷された印刷物（紙媒体）を自身がもつプリンタで容易に準備でき、自身の店舗に手軽に掲示できる。
【００８７】
［広告利用可否判断処理］
たとえば、顧客が広告媒体主の店舗で掲示された広告を見て、その広告を利用しようとした場合、アフィリエイトシステム１は、顧客がその広告を利用できるか否か判断する。顧客が広告を利用可能であると判断したとき、広告の利用実績を利用実績情報として登録する。利用実績情報が登録されたとき、広告媒体主はその広告の掲示に対する報酬額を広告主から受け取ることができる。以下、広告利用可否判断処理について説明する。
【００８８】
まず初めに、広告媒体主の店舗を訪れた顧客が、掲示されたクーポン広告（広告ＩＤ＝ａｄ４とする）を見て、そのクーポンの発行を要求する場合の広告利用可否判断について説明する。
【００８９】
図２１を参照して、広告を見た顧客の操作に応じて、顧客端末５は、広告の利用要求を送信する（Ｓ８４１）具体的には、顧客端末５が掲示された広告内のＱＲコードからＵＲＬ情報を読み取り、読みとったＵＲＬ情報を送信する。ＵＲＬ情報は、利用要求された広告の広告ＩＤ（ａｄ４）及び広告媒体主ＩＤを含む。顧客端末５がＱＲコードの読み取り機能を有していない場合、顧客が広告に掲示されたＵＲＬを顧客端末５に入力し、顧客端末５が入力されたＵＲＬ情報を広告代理サーバ１２に送信する。
【００９０】
広告代理サーバ１２は、ＵＲＬ情報を受信したとき、ＵＲＬ情報内の広告ＩＤ及び広告媒体主ＩＤを読み取り、メモリに格納する。続いて、読みとった広告ＩＤ（ａｄ４）のタイプ情報を広告ＤＢサーバ２２に要求する（Ｓ２４１）。広告ＤＢサーバ２２は、広告ＤＢを参照し、広告ＩＤ（ａｄ４）に対応するタイプ情報「coupon」を広告代理サーバ１２に送信する（Ｓ４４０）。広告代理サーバ１２は、受信したタイプ情報が「coupon」であると判断し（Ｓ２４２でＹＥＳ）、ステップＳ２４４に進む。
【００９１】
ステップＳ２４４で広告代理サーバ１２は、顧客情報登録画面を顧客端末５に送信する（Ｓ２４４）。このとき、広告代理サーバ１２は、広告ＤＢから広告ＩＤ＝ａｄ４に対応する顧客端末表示用情報を取得し、メモリに格納する。続いて、メモリに格納された顧客端末表示用情報を用いて、顧客情報登録画面を作成し、送信する。
【００９２】
顧客端末５のディスプレイには顧客情報登録画面が表示される。顧客は、顧客情報登録画面に応じて、自身の住所や、勤務先又は通学先の所在に関する顧客所在情報及びその他の情報（顧客の氏名や連絡先等）を入力する。顧客の操作に応じて、顧客端末５は入力された情報を広告代理サーバ１２に送信する（Ｓ８４２）。
【００９３】
広告代理サーバ１２は、顧客端末５から情報を受信した後、メモリに格納する。その後、メモリに格納された顧客所在情報に基づいて、顧客がその広告（広告ＩＤ＝ａｄ４）を利用できるか否かを判断する（Ｓ２４５〜Ｓ２４９）。
【００９４】
広告代理サーバ１２はまず、広告ＤＢサーバ２２に広告ＩＤ（ａｄ４）に対応する利用可能地域情報を要求する（Ｓ２４５）。広告ＤＢサーバ２２は、広告ＩＤ（ａｄ４）に対応する利用可能地域（兵庫県芦屋市）を検索し、広告代理サーバ１２に送信する（Ｓ４４１）。
【００９５】
広告代理サーバ１２は、メモリに格納された顧客所在情報がステップＳ４４１で送信された利用可能地域に含まれるか否かを判断する（Ｓ２４６）。含まれない場合（Ｓ２４６でＮＯ）、広告代理サーバ１２は、顧客端末５にクーポン広告の利用ができない旨の通知（利用不可通知）を送信する（Ｓ２４７）。たとえば、顧客所在情報が「兵庫県西宮市」である場合、顧客所在情報が利用可能地域（兵庫県芦屋市）に含まれないため、広告代理サーバ１２は、利用不可通知を送信する。
【００９６】
一方、顧客所在情報が利用可能地域に含まれる場合（Ｓ２４６でＹＥＳ）、広告代理サーバ１２はクーポン画面を顧客端末５に送信する（Ｓ２４８）。より具体的には、広告代理サーバ１２は、ステップＳ２４４でメモリに格納された顧客端末表示用情報に基づいてクーポン画像を生成し、生成されたクーポン画像を送信する。送信されたクーポン画像は顧客端末５内のメモリに格納される。顧客は、たとえば、顧客端末５のディスプレイにクーポン画像を表示し、広告主の店舗従業員に提示することで、クーポン広告を利用できる。
【００９７】
広告代理サーバ１２は、クーポン画面を送信した時点で、広告が利用されたとみなす。このとき、広告代理サーバ１２は、ステップＳ８４２で送信された顧客情報にステップＳ８４１で送信された広告媒体主ＩＤ及び広告ＩＤを付加した利用実績情報を利用実績ＤＢサーバ２４に送信する（Ｓ２４９）。利用実績ＤＢサーバ２４は送信された利用実績情報を登録し、登録完了通知を広告代理サーバ１２に送信する（Ｓ９４０）。つまり、クーポン広告の場合、クーポンが発行されてはじめて、広告媒体主に報酬額が支払われる。
【００９８】
以上の処理により、アフィリエイトシステム１は、顧客の所在に応じて広告の利用可否を判断する。アフィリエイトシステム１では、クーポン広告がインターネット上に掲示されるのではなく、実際の店舗等に掲示される。したがって、広告主も自身の地元の顧客を対象としてクーポン広告を出す可能性が高い。もし、地元以外の顧客、たとえば遠方からの顧客が旅行先の店舗でたまたま掲示されたクーポン広告を見て、そのクーポンを取得しても、実際には使用されない可能性が極めて高く、そのような場合にまで広告主が広告媒体主に報酬を支払うのは酷である。広告主が利用を許可した地域に所在を有する顧客に対してのみクーポン広告を発行することにより、上述の問題を解消する。また、利用要求された広告の広告ＩＤ及び広告媒体主ＩＤを利用実績情報として利用実績ＤＢに登録するため、広告主が広告媒体主に支払う報酬額の算定が可能となる。
【００９９】
なお、顧客がショッピング広告を利用する場合についも上述のクーポン広告の場合と実質的に同じである。以下、広告ＩＤ＝ａｄ１の広告を顧客が選択した場合の広告利用可否判断処理について説明する。
【０１００】
図２１を参照して、ステップＳ８４１からステップＳ２４２までの動作はクーポン広告時と同じである。ステップＳ２４２の判断の結果、広告代理サーバ１２は、ショッピング広告であると判断し（Ｓ２４２でＮＯ）、ステップＳ２４３（図２２）に進む。
【０１０１】
図２２を参照して、広告代理サーバ１２はまず、商品画面を送信する（Ｓ２５０）。ショッピング広告の場合、顧客は、オンラインで商品を購入する。具体的には、広告代理サーバ１２は、広告ＩＤ＝ａｄ１に対応する顧客端末表示用情報を広告ＤＢサーバ２２から取得し、取得された顧客端末表示用情報に基づいて商品画像を作成する。作成された商品画像を顧客端末５に送信する。
【０１０２】
顧客は顧客端末５に表示された商品画面を見て、商品購入数と、顧客所在情報及び顧客名等を含む顧客情報とを顧客端末５に入力する。顧客端末５は商品購入数及び顧客情報を広告代理サーバ１２に送信する（Ｓ８４２）。広告代理サーバ１２は、送信された商品購入数及び顧客情報をメモリに格納する。その後、広告ＩＤ＝ａｄ１の利用可能地域情報（兵庫県西宮市）を広告ＤＢサーバから取得し（Ｓ２４５及びＳ４４１）、顧客がショッピング広告を利用できるか否かを判断する（Ｓ２４６）。利用可能な場合（Ｓ２４６でＹＥＳ）、つまり、利用可能地域が顧客の所在を含む場合、顧客端末表示用情報及び商品購入数に基づいて商品購入完了画面を作成し、送信する（Ｓ２５１）。送信後、広告代理サーバ１２は、メモリに格納された広告ＩＤ及び広告媒体主ＩＤと、顧客情報と利用実績情報として広告ＤＢサーバ２２に送信し（Ｓ２４９）、広告ＤＢサーバ２２は送信された利用実績情報を利用実績ＤＢに登録する（Ｓ９４０）。
【０１０３】
以上のとおり、ショッピング広告の場合、商品を購入して初めて利用実績情報が登録される。つまり、顧客が商品を購入して初めて、広告媒体主に報酬額が支払われる。
【０１０４】
［報酬額算定処理］
上述のとおり、クーポンが発行された場合、又は商品が購入された場合、利用実績ＤＢサーバ２４に利用実績情報が登録され、利用実績情報に基づいて広告媒体主に報酬額が支払われる。広告代理サーバ１２は、利用実績ＤＢを用いて、所定期間ごとに（たとえば１ヶ月ごとに）広告媒体主及び広告代理業者に支払われる報酬額を算定する。以下、報酬額算定処理について説明する。
【０１０５】
図２３を参照して、広告代理サーバ１２は、利用実績ＤＢサーバ２４に対して所定期間内に登録された利用実績情報を要求する（Ｓ２６０）。利用実績ＤＢサーバ２４は、広告代理サーバ１２の要求に応じて、利用実績ＤＢに登録された利用実績情報を送信する（Ｓ９６０）。広告代理サーバ１２は、送信された利用実績情報をメモリに格納する。次に、広告代理サーバ１２は広告ＤＢサーバ２２に対して、広告ＤＢに登録された各広告の単位報酬額情報を要求する（Ｓ２６１）。広告ＤＢサーバ２２は要求に応じて単位報酬額情報を送信する（Ｓ４６０）。このとき、広告ＤＢサーバ２２は、広告ＩＤと、広告ＩＤに対応した単位報酬額情報とともに、広告ＩＤに対応した広告主ＩＤも送信する。送信されたこれらの情報は広告代理サーバ１２内のメモリに登録される。
【０１０６】
続いて、広告代理サーバ１２は、広告代理対価ＤＢサーバ２５に対して報酬率情報を要求する（Ｓ２６２）。広告代理対価ＤＢサーバ２５は、要求に応じて報酬率情報（図１１では１０％）を送信する（Ｓ１０６０）。広告代理サーバ１２は、送信された報酬率情報をメモリに登録する。
【０１０７】
利用実績情報、単位報酬額情報及び報酬率情報をメモリに格納後、広告代理サーバ１２は、各広告ＩＤごとに、広告媒体主に支払う報酬額及び広告代理業者に支払う報酬額を算出する（Ｓ２６３）。広告代理サーバ１２は、広告がショッピング広告の場合、式（１）に基づいて広告媒体主への報酬額を算出する。また、広告がクーポン広告の場合、式（２）に基づいて広告媒体主への報酬額を算出する。
【０１０８】
報酬額＝商品の購入数×単位報酬額  （１）
報酬額＝顧客情報登録数×単位報酬額  （２）
たとえば、図９の顧客情報を取得した場合、広告ＩＤ＝ａｄ２において、広告媒体主ＩＤ＝ａｄｍｅｄｉａ２に支払う報酬額は購入数１×単位報酬額（２００円）＝２００円である。また、広告媒体主ＩＤ＝ａｄｍｅｄｉａ３に支払う報酬額は購入数２×単位報酬額（２００円）＝４００円となる。各広告ＩＤにおいて算出された報酬額は、広告代理サーバ内のメモリに登録される。
【０１０９】
広告代理サーバ１２はさらに、算出された各広告ＩＤでの報酬額に基づいて、各広告主ごとの広告料を算出する。広告代理サーバ１２は、各広告ＩＤに対応する広告主ＩＤを特定し、広告主ＩＤごとに広告ＩＤの報酬額を集計する。集計された報酬額は、広告主が全ての広告媒体主に支払う広告料となる。たとえば、図５を参照して、広告主ＩＤ＝ａｄｏｗｎｅｒ１の広告は広告ＩＤ＝ａｄ１及びａｄ２である。そのため、図９を参照して、広告主ＩＤ＝ａｄｏｗｎｅｒ１の広告料は、広告ＩＤ＝ａｄ１の報酬額合計＝２×２００円＝４００円と、広告ＩＤ＝ａｄ２の報酬額合計＝１×２００円＋２×２００円＝６００円との合計で、１０００円となる。算定された各広告主ごとの広告料は、広告代理サーバ１２内のメモリに登録される。
【０１１０】
広告代理サーバ１２はさらに、広告主ごとの広告料及び報酬率を用いて、式（３）に基づいて各広告主が広告代理業者に支払う料金（広告代理料）を算出する。
【０１１１】
広告代理料＝広告料×報酬率  （３）
上述の広告主ＩＤ＝ａｄｏｗｎｅｒ１の場合、広告代理料は１０００円×１０％＝１００円となる。
【０１１２】
以上の動作により、アフィリエイトシステム１は、顧客情報を用いて広告媒体主への報酬額と、広告主が支払う広告料及び広告代理料とを算出できる。
【０１１３】
本実施の形態では、広告ＩＤ及び広告媒体主ＩＤをＱＲコードに変換したが、他の読み取り可能なコード（二次元コード，バーコード）に変換してもよい。
【０１１４】
また、図２１において、顧客が広告を利用するごとに、顧客情報を顧客端末５に入力し広告代理サーバ１２に送信してもよいし、広告代理サーバ１２が、顧客端末５の機体ＩＤと顧客情報とを対応づけて予め記憶することにより、これらの情報の入力を不要としてもよい。
【０１１５】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【０１１６】
【図１】本発明の実施の形態によるアフィリエイトシステムの全体構成を示す機能ブロック図である。
【図２】図１に示した広告主ＤＢサーバに登録される広告ＤＢのデータ構造を示す図である。
【図３】図２に示した広告主ＤＢの一例を示す図である。
【図４】図１に示した広告ＤＢサーバに登録される広告ＤＢのデータ構造を示す図である。
【図５】図４に示した広告ＤＢの一例を示す図である。
【図６】図１に示した広告媒体主ＤＢサーバに登録される広告媒体主ＤＢのデータ構造を示す図である。
【図７】図６に示した広告媒体主ＤＢの一例を示す図である。
【図８】図１に示した利用実績ＤＢサーバに登録される利用実績ＤＢのデータ構造を示す図である。
【図９】図８に示した利用実績ＤＢの一例を示す図である。
【図１０】図１に示した広告代理対価ＤＢサーバに登録される広告代理対価ＤＢのデータ構造を示す図である。
【図１１】図１０に示した広告代理対価ＤＢの一例である。
【図１２】図１に示したテンプレートＤＢサーバに登録されたテンプレートの一例を示す図である。
【図１３】図１２のテンプレートにより作成される広告レイアウトの一例である。
【図１４】図１に示したアフィリエイトシステムの動作概略を説明するための図である。
【図１５】図１４に示したアフィリエイトシステムの動作のうち、広告主情報及び広告媒体主情報の登録処理の詳細を示すフロー図である。
【図１６】図１４に示したアフィリエイトシステムの動作のうち、広告情報登録処理の詳細を示すフロー図である。
【図１７】図１４に示したアフィリエイトシステムの動作のうち、掲示可能広告抽出処理の詳細を示すフロー図である。
【図１８】図１７中のステップＳ５２２で表示される広告一覧画面の一例を示す図である。
【図１９】図１４に示したアフィリエイトシステムの動作のうち、広告印刷処理の詳細を示すフロー図である。
【図２０】図１９中のステップＳ７３０で印刷された広告の一例を示す図である。
【図２１】図１４に示したアフィリエイトシステムの動作のうち、広告利用可否判断処理の詳細を示すフロー図である。
【図２２】図２１中のステップＳ２４３以降の動作を示すフロー図である。
【図２３】図１４に示したアフィリエイトシステムの動作のうち、報酬額算定処理の詳細を示すフロー図である。
【符号の説明】
【０１１７】
１  アフィリエイトシステム
３  広告主ＰＣ端末
４  広告媒体主ＰＣ端末
５  顧客端末
６  プリンタ
１０  アフィリエイトサーバシステム
２２  広告ＤＢサーバ
２３  広告媒体主ＤＢサーバ
２４  利用実績ＤＢサーバ
２６  テンプレートＤＢサーバ
【図１】
2008090499.tif 000003
【図２】
2008090499.tif 000004
【図３】
2008090499.tif 000005
【図４】
2008090499.tif 000006
【図５】
2008090499.tif 000007
【図６】
2008090499.tif 000008
【図７】
2008090499.tif 000009
【図８】
2008090499.tif 000010
【図９】
2008090499.tif 000011
【図１０】
2008090499.tif 000012
【図１１】
2008090499.tif 000013
【図１２】
2008090499.tif 000014
【図１３】
2008090499.tif 000015
【図１４】
2008090499.tif 000016
【図１５】
2008090499.tif 000017
【図１６】
2008090499.tif 000018
【図１７】
2008090499.tif 000019
【図１８】
2008090499.tif 000020
【図１９】
2008090499.tif 000021
【図２０】
2008090499.tif 000022
【図２１】
2008090499.tif 000023
【図２２】
2008090499.tif 000024
【図２３】
2008090499.tif 000025